【手続補正書】
【提出日】平成25年2月8日(2013.2.8)
【手続補正１】
【補正対象書類名】特許請求の範囲
【補正対象項目名】全文
【補正方法】変更
【補正の内容】
【特許請求の範囲】
【請求項１】
印刷装置と該印刷装置に印刷データを送信するホスト機器がネットワークを介して接続された印刷システムにおいて、
前記印刷装置は、
温室効果ガスの排出権付き消耗品カートリッジの装着を検出する検出手段と、
該検出結果に基づいて、前記温室効果ガスの排出権付き消耗品カートリッジの装着情報を前記ホスト機器に送信する送信手段とを有し、
前記ホスト機器は、
前記送信手段から送信される前記装着情報を監視する監視手段と、
該監視手段が前記温室効果ガスの排出権付き消耗品カートリッジの装着を確認すると、前記印刷装置のエコロジー効果の集計表示を行う集計表示手段と、
を有することを特徴とする印刷システム。
【請求項２】
印刷装置と該印刷装置に印刷データを送信するホスト機器がネットワークを介して接続された印刷システムにおいて、
前記印刷装置は、
温室効果ガスの排出権付き消耗品カートリッジの装着を検出する検出手段と、
該検出結果に基づいて、前記温室効果ガスの排出権付き消耗品カートリッジの装着情報を前記ホスト機器に送信する送信手段とを有し、
前記ホスト機器は、
前記送信手段から送信される前記装着情報を監視する監視手段と、
該監視手段が前記温室効果ガスの排出権付き消耗品カートリッジの装着を確認すると、前記印刷装置の印刷設定をエコロジー状態に設定変更する設定変更手段と、
を有することを特徴とする印刷システム。
【請求項３】
前記エコロジー状態の設定変更は、トナーセーブモード、両面印刷モード、及びマルチページ印刷モードへの設定変更であることを特徴とする請求項２に記載の印刷システム。
【請求項４】
前記エコロジー状態の設定変更は、節電モード設定の変更であることを特徴とする請求項２又は３に記載の印刷システム。
【請求項５】
印刷装置と該印刷装置に印刷データを送信するホスト機器がネットワークを介して接続された印刷システムの制御方法において、
前記印刷装置は、
温室効果ガスの排出権付き消耗品カートリッジの装着を検出する処理と、
該検出結果に基づいて、前記温室効果ガスの排出権付き消耗品カートリッジの装着情報を前記ホスト機器に送信する処理とを行い、
前記ホスト機器は、
前記印刷装置から送信される前記装着情報を監視する処理と、
該処理により、前記温室効果ガスの排出権付き消耗品カートリッジの装着を確認すると、前記印刷装置のエコロジー効果を集計し、表示する処理と、
を行うことを特徴とする印刷システムの制御方法。
【請求項６】
印刷装置と該印刷装置に印刷データを送信するホスト機器がネットワークを介して接続された印刷システムの制御方法において、
前記印刷装置は、
温室効果ガスの排出権付き消耗品カートリッジの装着を検出する処理と、
該検出結果に基づいて、前記温室効果ガスの排出権付き消耗品カートリッジの装着情報を前記ホスト機器に送信する処理とを行い、
前記ホスト機器は、
前記印刷装置から送信される前記装着情報を監視する処理と、
該処理により、前記温室効果ガスの排出権付き消耗品カートリッジの装着を確認すると、前記印刷装置の印刷設定をエコロジー状態に設定変更する処理と、
を行うことを特徴とする印刷システムの制御方法。
【手続補正２】
【補正対象書類名】明細書
【補正対象項目名】０００７
【補正方法】変更
【補正の内容】
【０００７】
上記課題は第１の発明によれば、印刷装置と該印刷装置に印刷データを送信するホスト機器がネットワークを介して接続された印刷システムにおいて、前記印刷装置は、温室効果ガスの排出権付き消耗品カートリッジの装着を検出する検出手段と、該検出結果に基づいて、前記装着情報を前記ホスト機器に送信する送信手段とを有し、前記ホスト機器は、前記送信手段から送信される前記装着情報を監視する監視手段と、該監視手段が前記温室効果ガスの排出権付き消耗品カートリッジの装着を確認すると、前記印刷装置のエコロジー効果の集計表示を行う集計表示手段とを有する印刷システムを提供することによって達成できる。
また、上記課題は第２の発明によれば、印刷装置と該印刷装置に印刷データを送信するホスト機器がネットワークを介して接続された印刷システムにおいて、前記印刷装置は、温室効果ガスの排出権付き消耗品カートリッジの装着を検出する検出手段と、該検出結果に基づいて、前記温室効果ガスの排出権付き消耗品カートリッジの装着情報を前記ホスト機器に送信する送信手段とを有し、前記ホスト機器は、前記送信手段から送信される前記装着情報を監視する監視手段と、該監視手段が前記温室効果ガスの排出権付き消耗品カートリッジの装着を確認すると、前記印刷装置の印刷設定をエコロジー状態に設定変更する設定変更手段とを有する印刷システムを提供することによって達成できる。
【手続補正３】
【補正対象書類名】明細書
【補正対象項目名】０００８
【補正方法】変更
【補正の内容】
【０００８】
また、上記課題は第３の発明によれば、前記エコロジー状態の設定変更は、トナーセーブモード、両面印刷モード、及びマルチページ印刷モードへの設定変更である印刷システムを提供することによって達成できる。
また、上記課題は第４の発明によれば、前記エコロジー状態の設定変更は、節電モード設定の変更である印刷システムを提供することによって達成できる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
また、上記課題は第５の発明によれば、印刷装置と該印刷装置に印刷データを送信するホスト機器がネットワークを介して接続された印刷システムの制御方法において、前記印刷装置は、温室効果ガスの排出権付き消耗品カートリッジの装着を検出する処理と、該検出結果に基づいて、前記装着情報を前記ホスト機器に送信する処理とを行い、前記ホスト機器は、前記印刷装置から送信される前記装着情報を監視する処理と、該処理により、前記温室効果ガスの排出権付き消耗品カートリッジの装着を確認すると、前記印刷装置のエコロジー効果を集計し、表示する処理と、を行う印刷システムの制御方法を提供することによって達成できる。
また、上記課題は第６の発明によれば、印刷装置と該印刷装置に印刷データを送信するホスト機器がネットワークを介して接続された印刷システムの制御方法において、前記印刷装置は、温室効果ガスの排出権付き消耗品カートリッジの装着を検出する処理と、該検出結果に基づいて、前記装着情報を前記ホスト機器に送信する処理とを行い、前記ホスト機器は、前記印刷装置から送信される前記装着情報を監視する処理と、該処理により、前記温室効果ガスの排出権付き消耗品カートリッジの装着を確認すると、前記印刷装置の印刷設定をエコロジー状態に設定変更する処理とを行う印刷システムの制御方法を提供することによって達成できる。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本発明は、温室効果ガスの排出権が付与された消耗品、若しくは交換部品が印刷装置に装着されている場合、印刷処理を自動的にエコロジー設定に切り替える、または印刷装置のエコロジー効果を集計し、表示することによって、温室効果ガスの排出削減を図ると共に、印刷装置の利用者に温室効果ガスの排出削減に協力している意識を高めるものである。